(57)【要約】【目的】原稿が反っていた場合でも読み取り手段を通すための搬送ローラ部のニップ部に円滑に進入させることができ、読み取り手段や記録手段との衝突や擦れを無くすことができるスキャニングホルダーを提供する。【構成】台紙２と透明なカバー３との間に原稿Ｄを挟み込んで搬送されるスキャニングホルダーであって、台紙の先端縁近傍とカバーの先端縁近傍とを重ね合わせて固着した先端固着部４ａと、先端部１ａが搬送ローラ部２４に挟まった位置で原稿読み取り開始位置となるように原稿Ｄの位置を規制するために台紙とカバーとを重ね合わせて固着した原稿位置規制用固着部４ｃと、を有するスキャニングホルダー１。【選択図】                                図１
2004153755.tif 000002
【特許請求の範囲】
【請求項１】
原稿が載置される台紙と該台紙との間で原稿を挟み込む透明なカバーとを有し、前記原稿を読み取るために読み取り手段を通して搬送されるスキャニングホルダーにおいて、
前記台紙の搬送方向下流側端縁の近傍と前記カバーの搬送方向下流側端縁の近傍とを重ね合わせて固着した先端固着部と、搬送方向下流側の先端が前記読み取り手段の搬送ローラ部に挟まった位置で前記原稿の読み取りが開始できるように該原稿の位置を規制するために前記先端固着部より搬送方向上流側で前記台紙と前記カバーとを重ね合わせて固着した原稿位置規制用固着部と、を有することを特徴とするスキャニングホルダー。
【発明の詳細な説明】
【０００１】
【発明の属する技術分野】
本発明は原稿を読み取るために原稿を挟み込んだ状態で読み取り装置を通して搬送されるスキャニングホルダーに関する。
【０００２】
【従来の技術】
ファクシミリ等に装着された画像読み取り装置においては、スキャナを固定して原稿を移動させるいわゆるシートスルー方式のものが知られている。また、その中で、シリアル方式のプリント装置のキャリッジ部にスキャナユニットを搭載したものもよく知られている。
上記シートスルー方式の読み取り装置（記録装置を兼ねたものを含む）においては、一般に、原稿は搬送ローラ対のニップ部（一対のローラ間の挟み込み込み部）によって挟持搬送される。しかしながら、原稿の大きさが小さかったり、原稿の厚さが薄かったりするときには、上記のニップ部によって原稿を円滑に搬送できなくなることがあり、そのような場合には、原稿を挟み込んだ状態で読み取り装置を通して搬送されるスキャニングホルダーを使用することが行われている。
【０００３】
従来の前記スキャニングホルダーは、例えば、Ａ４サイズの台紙と透明なカバーとを重ね合わせ、その一辺、すなわち使用時（搬送時）に先頭側（搬送方向下流側）になる先端縁を揃えて該先端部を接着や溶着によって固着するこによって構成されている。
このスキャニングホルダーの使用に際しては、台紙とカバーとの間に原稿を挟み込み、固着された側を先端としてスキャニングホルダーを搬送ローラのニップ部（一対のローラ間の挟み込み込み部）に送り込み（送給し）、このニップ部により該スキャニングホルダーを搬送しながらその中の原稿の画像をスキャナ（読み取り手段）によって読み取るように使用される。
【０００４】
なお、最近の記録装置（プリント装置）などでは、記録ヘッドとともに読み取りヘッドを設け、記録用紙の搬送経路を利用して原稿を搬送しながら画像を読み取り、さらに読み取った画像を記録するように構成されたものがあり、本発明に係るスキャニングホルダーは、専用の読み取り装置のみならず、このような記録装置を含め、搬送される原稿を読み取り可能な読み取り手段を有する装置であれば、これらに広く使用可能なものである。
【０００５】
【発明が解決しようとする課題】
しかしながら、上述のような従来のスキャニングホルダーや該スキャニングホルダーを用いる装置（記録装置など）においては、原稿が反っている場合などに、該スキャニングホルダーの先端縁が搬送ローラ（排紙ローラなど）のニップ部に円滑に進入することができないという解決すべき技術的課題があった。
また、従来のスキャニングホルダーでは、原稿に反りがある場合には、読み取り時に原稿の反りにより持ち上げられたスキャニングホルダーの側端部がプリントヘッド部等に衝突したり、擦ったりして不都合を生じる可能性があった。
【０００６】
本発明はこのような技術的課題に鑑みてなされたものであり、本発明の目的は、原稿が反っている場合でも搬送ローラ部のニップ部に対して円滑に進入させることができ、読み取りヘッドもしくは記録ヘッド等との擦れや衝突を無くすことができるスキャニングホルダーを提供することである。
【０００７】
【課題を解決するための手段】
本発明は、上記目的を達成するため、原稿が載置される台紙と該台紙との間で原稿を挟み込む透明なカバーとを有し、前記原稿を読み取るために読み取り手段を通して搬送されるスキャニングホルダーにおいて、前記台紙の搬送方向下流側端縁の近傍と前記カバーの搬送方向下流側端縁の近傍とを重ね合わせて固着した先端固着部と、搬送方向下流側の先端が前記読み取り手段の搬送ローラ部に挟まった位置で前記原稿の読み取りが開始できるように該原稿の位置を規制するために前記先端固着部より搬送方向上流側で前記台紙と前記カバーとを重ね合わせて固着した原稿位置規制用固着部と、を有することを特徴とする。
【０００８】
【発明の実施の形態】
以下図面を参照して本発明の実施の形態を具体的に説明する。なお、各図面を通して同一符号は同一又は対応する部分を示す。
図１は本発明を適用したスキャニングホルダーの第１実施例を示す模式的斜視図である。図１において、スキャニングホルダー１は原稿Ｄが載置される台紙２と該台紙２との間に原稿Ｄを挟み込むカバー３とを備えている。
前記台紙２は、長方形（正方形を含む）のシート状の部材であり、例えば、白色のＰＥＴ（ポリエチレンテレフタレート）で形成されている。この台紙２の大きさは、スキャニングホルダー１が使用されるスキャナー（読み取り手段）によって決められる。例えば、Ａ４サイズのものを使用することができる。前記台紙２の４つの端縁（４辺）のうち、使用時のスキャニングホルダー１の搬送方向（矢印Ｋ方向）に向かって先頭となる端縁、すなわち搬送方向下流側に位置する端縁を先端縁２ａとする。また、搬送方向（矢印Ｋ方向）に向かって右側の側端縁を端縁２ｂとする。
【０００９】
前記カバー３は、上記台紙２と同様、長方形（正方形を含む）のシート状の部材であり、例えば、透明なＰＥＴ（ポリエチレンテレフタレート）で形成されている。このカバー３の大きさは、上記台紙２とほぼ同じであり、若干異なる寸法にしても良い。前記カバー３の４つの端縁のうち、使用時のスキャニングホルダー１の搬送方向（矢印Ｋ方向）に向かって先頭となる端縁、すなわち搬送方向下流側に位置する端縁を先端縁３ａとする。また、搬送方向（矢印Ｋ方向）に向かって右側の側端縁を端縁３ｂとする。
【００１０】
上記の台紙２及びカバー３は、それぞれの先端縁２ａ、３ａ及び側端縁２ｂ、３ｂとを重ね合わせて、それらの先端縁２ａ、３ａ及び側端縁２ｂ、３ｂの近傍において固着されている。こうして形成された先端固着部４ａ及び側端縁固着部４ｂは、図１に示すように、それぞれの先端縁２ａ、３ａ及び側端縁２ｂ、３ｂに沿って、搬送方向（矢印Ｋ方向）に直角な方向（以下では幅方向とも呼ぶ）及び搬送方向に向かって右側の全域（全幅）にわたって帯状に設けられている。この固着部４ａ、４ｂは、接着剤を使用した接着や、カバー３における固着部４ａ、４ｂに対応する部分を溶融させる溶着によって形成することができる。
【００１１】
図２は図１のスキャニングホルダー１を図１中の矢印Ｘから見て搬送ローラ２４、２７とともに示す部分縦断面図である。図１及び図２において、本実施例においては、スキャニングホルダー１の搬送方向下流側の先端固着部４ａが搬送ローラ（ここでは排紙ローラ）２４及び拍車２７に挟まった位置で原稿読み取り開始位置となるように、前記原稿Ｄの位置を規制するための原稿位置規制用固着部４ｃが設けられている。この原稿位置規制用固着部４ｃは、前記先端固着部４ａより所定距離だけ搬送方向上流側の位置で前記台紙２と前記カバー３とを重ね合わせて固着して形成されている。そして、図１及び図２に示すスキャニングホルダー１に挟み込まれて搬送される原稿Ｄを読み取る装置においては、該スキャニングホルダー１の先端縁１ａが該装置の搬送ローラ部２４、２７に挟まった状態から読み取りを開始するように構成される。
【００１２】
図３は図１のスキャニングホルダー１に挟み込まれた原稿Ｄを読み取る読み取り手段を備えた記録装置（プリント装置）５を示す模式的斜視図である。なお、以下では、図３に示す記録装置本体６の前後左右に関しては、スキャニングホルダー１の搬送方向（矢印Ｋ方向）を基準として、下流側を「前」、上流側を「後」、下流側から上流側を見て左側を「左」、下流側から上流側を見て右側を「右」に決めて説明を行う。
図３に示す読み取り手段付きの記録装置（又は記録手段を備えた読み取り装置）５は、インクジェット記録装置である。読み取り手段（読み取りヘッド）としてのスキャナーユニット１１は、記録手段（記録ヘッド）としてのプリントヘッド１０と共にキャリッジ１２に搭載されており、読み取り幅も記録幅（プリント幅）とほぼ同じだけ確保できるように構成されている。
【００１３】
キャリッジ１２には、記録装置本体（又は読み取り装置本体）６と読み取り制御信号を送受信するための接点部（不図示）が設けられており、前記読み取り信号は前記接点部を介した後フレキシブルケーブル１４を通過して記録装置本体６の画像処理部（不図示）に転送される。
キャリッジ１２は、フレーム１５の左の側板１５ａと右の側板１５ｂとの間に左右方向（スキャニングホルダー１の幅方向）に沿って設置されたスライド軸（ガイド軸）１６とスライド板１７とに沿って往復移動することにより、原稿Ｄの画像の読み取りを行う。記録装置本体６における左側には、ベルト（不図示）を介してキャリッジ１２を移動させるための駆動モータ１８が配設されている。
【００１４】
記録装置本体６における後部には、スキャニングホルダー１を送り込むための給紙スタッカ部２０が設けられている。この給紙スタッカ部２０は、記録装置（プリント装置）として使用する場合は、用紙等の被記録材を挿入する箇所である。原稿Ｄを挟んだスキャニングホルダー１は、先端固着部４ａがある側の端縁（先端縁）１ａを先頭にして、給紙スタッカ部２０から給紙ローラ２１によって装置本体（記録装置本体又は読み取り装置本体）６内へ給紙され、搬送ローラ（ラインフィードローラ）２２と搬送ローラ（押えローラ）２３との間に形成されるニップ部Ｎによりキャリッジ１２の直下付近の読み取り位置まで搬送される。
【００１５】
さらに、スキャニングホルダー１を、キャリッジ１２の往復移動による１行分の読み取りと読み取り幅分のラインフィード（下流側への搬送）とを交互に繰り返えしながら搬送することで、該スキャニングホルダー１に挟み込まれた原稿Ｄを読み取り、読み取りが終了したスキャニングホルダー１は下流側に配設された搬送ローラ（搬送ローラの一種である排紙ローラ）２４によって排出される。
【００１６】
図４は、図３に示す読み取り手段（スキャナーユニット）を具備した記録装置５の読み取り部と各搬送ローラとの位置関係を示す模式的縦断面図である。図４において、左右方向（図４中では紙面に垂直な方向）に移動するキャリッジ（不図示）に搭載された読み取り手段（スキャナーユニット）１１のセンサ読み取り部１１ａは、レンズ１１ｂ、１１ｃを介して読み取り部Ｌの読み取り画像をデータとして転送する。原稿Ｄを挟んだスキャニングホルダー１は、その先端縁１ａを先頭に給紙スタッカ部２０から搬送ローラ対２２、２３の間のニップ部Ｎに挿通され、プラテン部２６の上方を空中搬送されながら読み取り部Ｌを通過した後、その先端縁１ａが第１の排紙ローラ（搬送ローラの一種）２４と押え部である拍車２７との間のニップ部に到達する。
【００１７】
この時、スキャニングホルダー１に挟まれた原稿Ｄの先端行は読み取り部Ｌの位置にあって読み取りを開始できる状態になっており、従って、キャリッジ１２の移動によって該原稿Ｄの１行目（最初の行）の読み取りが行われる。以下、順次、スキャニングホルダー１及び原稿Ｄの行送りと読み取り手段１１による原稿Ｄの読み取りとを交互に繰り返しながら原稿全体に対する画像読み取りが実行される。
【００１８】
図５はスキャニングホルダー１に挟まれた原稿Ｄの先端部が反っているときの状態を搬送方向に断面して模式的に示す縦断面図であり、図６はスキャニングホルダー１に挟まれた原稿Ｄの側端部が反っているときの状態を搬送方向と直角の方向に断面して模式的に示す横断面図であり、図７はスキャニングホルダー１に挿入された側端部が反った原稿Ｄをインクジェット記録装置内の読み取り手段（スキャニングユニット）１１で読み取っているときの状態を示す断面して示す模式的断面正面図である。
【００１９】
図１に示すようなスキャニングホルダー１を使用して原稿Ｄの読み取りを行う場合には、該スキャニングホルダー１の先端部には原稿Ｄの変形を十分に吸収できる長さを持った重ね合わせ部、すなわち先端固着部４ａから原稿位置規制用固着部４ｃへ至るまでの十分な距離にわたる変形吸収部（変形の影響を受けない部分）が設けられているので、図５に示すように先端が反った原稿Ｄをスキャニングホルダー１に入れて読み取る場合でも、当該スキャニングホルダー１の先端部１ａは原稿Ｄの反りの影響を受けずに搬送ローラ（排紙ローラ）２４と拍車２７との間のニップ部に円滑に進入することができる。
【００２０】
また、図１に示すようなスキャニングホルダー１を使用する読み取り手段付きのインクジェット記録装置によれば、該スキャニングホルダー１の側端縁部に側端縁固着部４ｂを設けるとともに、記録手段（プリントヘッド）１０のインク吐出性能を維持回復するために読み取り中に行なわれるインクの予備吐出をスキャニングホルダー１の側端が固着されている側の吐出口３０Ｌのみで行い、固着されていない側の吐出口３０Ｒでは行わないように構成したので、図６及び図７に示すように側端縁が反った原稿Ｄをスキャニングホルダー１に入れて読み取るときに、反った原稿Ｄの影響でスキャニングホルダー１の固着されていない側のカバー３の側端縁が持ち上がった場合に、図７に示すように記録手段（プリントヘッド）１０の左右方向の動作範囲がＳのようになった場合でも、記録手段１０がスキャニングホルダー１の持ち上がっている場所に行くことはなく、従って、記録手段１０や該記録手段の吐出口部分（インク吐出部）１０ｎにスキャニングホルダー１がぶつかったり、擦れたりすることはない。
【００２１】
ここで、スキャニングホルダー１の側端部が固着されているのは片側だけであるので、両側を固着した場合に起こる原稿Ｄのセットのしづらさという不都合はない。また、スキャニングホルダー１内における原稿Ｄの位置制限（位置決め）は印刷などのマークではなく固着部（原稿位置規制用固着部４ｃ及び側端縁固着部４ｂ）で示されるため、原稿Ｄの位置を容易にかつ確実に規制することができる。
【００２２】
図８は本発明を適用したスキャニングホルダー１の第２の実施例を図１中の矢印Ｘ方向から見た部分縦断面図である。図８は前述の第１実施例における図２に相当する図面である。ただし、図８では搬送ローラ（排紙ローラ）２４及び拍車２７は省略されている。
前述の第１実施例では、台紙２の先端縁２ａ及びカバー３の先端縁３ａの双方ともスキャニングホルダー１の先端縁１ａの同じ位置とするように構成した。これに対し、本実施例（第２実施例）では、原稿Ｄを下方から支持する台紙２の先端縁２ａを、原稿Ｄを上方から覆うカバー３の先端縁３ａよりも搬送方向下流側へ突出させるように構成されている。
【００２３】
そのため、カバー３の先端部を台紙２に固着するための先端固着部４ａは、台紙２の先端縁（スキャニングホルダー１の先端縁でもある）２ａより搬送方向上流側に設けられることになる。また、原稿Ｄの位置を規制するために台紙２とカバー３を固着して形成される前記原稿位置規制用固着部４ｃは、前記先端固着部４ａより搬送方向上流側であって前記台紙２の先端縁２ａより所定距離の位置に形成されている。
図８の第２実施例は以上説明した点で図１〜図７で説明した第１実施例と相違しているが、その他の点では実質的に同じ構成をしている。この第２実施例によれば、前述の第１実施例と同様の作用効果が得られることに加え、スキャニングホルダー１の先端部がさらに薄くなった分、搬送ローラ（排紙ローラ）２４と拍車２７との間のニップ部へさらに進入しやすくなるという効果が得られる。
【００２４】
また、前述の第２実施例の変形例として、図８の構成における台紙２とカバー３との関係を逆にし、原稿Ｄを上方から覆うカバー３の先端縁３ａを、原稿Ｄを下方から支持する台紙２の先端縁２ａよりも搬送方向下流側へ突出させるように構成しても良く、このような構成によっても、前述の第２実施例の場合と同様の作用効果を実現することができる。
【００２５】
図９は本発明を適用したスキャニングホルダーの第３実施例を示す模式的平面図である。図１〜図７の第１実施例、並びに図８の第２実施例では、スキャニングホルダー１の固着部を構成する先端固着部４ａ、側端縁固着部４ｂ及び原稿位置規制用固着部４ｃは、いずれもそれらの全長にわたって連続的に帯状に形成されているが、これは適宜複数箇所に分割して所定の間隔ごとに固着部を設けるように構成しても良い。このような観点から、図９の第３実施例においては、スキャニングホルダー１の固着部である先端固着部４ａ、側端縁固着部４ｂ及び原稿位置規制用固着部４ｃは、それの全長にわたって所定間隔ごとに分割されて複数箇所に分布された固着部で構成されている。なお、先端固着部４ａ、側端縁固着部４ｂ及び原稿位置規制用固着部４ｃの全てを分割式にせずに、１又は複数の所望の固着部のみを分割式にしても良い。
【００２６】
図９の第３実施例は、以上の点で前述の第１実施例又は第２実施例と相違しているが、その他の点では実質的に同じ構成を有している。従って、図９の第３実施例によれば、前述の各実施例と同様の作用効果が得られることに加え、各固着部４ａ、４ｂ、４ｃを適宜複数箇所に分割して部分的に固着するように構成したので、搬送系にＪパスを有する記録装置等で使用する場合でも、搬送経路の曲げ部での抵抗が少なく、円滑に搬送することができるという効果が得られる。
【００２７】
以上説明した各実施例においては、以下に列挙するような本発明の実施態様が記載されている。
実施態様１：原稿が載置される台紙と該台紙との間で原稿を挟み込む透明なカバーとを有し、前記原稿を読み取るために読み取り手段を通して搬送されるスキャニングホルダーにおいて、前記台紙の搬送方向下流側端縁の近傍と前記カバーの搬送方向下流側端縁の近傍とを重ね合わせて固着した先端固着部と、搬送方向下流側の先端が前記読み取り手段の搬送ローラ部に挟まった位置で前記原稿の読み取りが開始できるように該原稿の位置を規制するために前記先端固着部より搬送方向上流側で前記台紙と前記カバーとを重ね合わせて固着した原稿位置規制用固着部と、を有することを特徴とする。
【００２８】
実施態様２：前記台紙及び前記カバーの左右いずれかの側端縁部を重ね合わせて固着した側端縁固着部を有することを特徴とする実施態様１に記載のスキャニングホルダー。
実施態様３：原稿が載置される台紙と該台紙との間で原稿を挟み込む透明なカバーとを有し、前記原稿を読み取るために読み取り手段を通して搬送されるスキャニングホルダーを使用可能な読み取り装置において、前記スキャニングホルダーは、前記台紙の搬送方向下流側端縁の近傍と前記カバーの搬送方向下流側端縁の近傍とを重ね合わせて固着した先端固着部と、搬送方向下流側の先端が前記読み取り手段の搬送ローラ部に挟まった位置で前記原稿の読み取りが開始できるように該原稿の位置を規制するために前記先端固着部より搬送方向上流側で前記台紙と前記カバーとを重ね合わせて固着した原稿位置規制用固着部と、を有することを特徴とする読み取り装置。
【００２９】
実施態様４：前記スキャニングホルダーは、前記台紙及び前記カバーの左右いずれかの側端縁部を重ね合わせて固着した側端縁固着部を有することを特徴とする実施態様３に記載の読み取り装置。
実施態様５：前記原稿に代えて搬送される被記録材に対して画像を形成する記録手段を備えており、記録装置としても使用可能であることを特徴とする実施態様３又は４に記載の読み取り装置。
実施態様６：前記記録手段は記録手段から被記録材にインクを吐出して記録を行うインクジェット記録手段でもあることを特徴とする実施態様５に記載の読み取り装置。
実施態様７：前記記録手段のインク吐出性能を維持回復するために読み取り中に行なわれるインクの予備吐出は、前記スキャニングホルダーの側端縁固着部が設けられた側のみで行われることを特徴とする実施態様６に記載の読み取り装置。
【００３０】
実施態様８：記録手段によって被記録材に記録を行う記録装置において、
原稿が載置される台紙と該台紙との間で原稿を挟み込む透明なカバーとを有し、前記原稿を読み取るために読み取り手段を通して搬送されるスキャニングホルダーを使用可能な読み取り手段を備えた記録装置において、前記スキャニングホルダーは、前記台紙の搬送方向下流側端縁の近傍と前記カバーの搬送方向下流側端縁の近傍とを重ね合わせて固着した先端固着部と、搬送方向下流側の先端が前記読み取り手段の搬送ローラ部に挟まった位置で前記原稿の読み取りが開始できるように該原稿の位置を規制するために前記先端固着部より搬送方向上流側で前記台紙と前記カバーとを重ね合わせて固着した原稿位置規制用固着部と、を有することを特徴とする記録装置。
【００３１】
実施態様９：前記スキャニングホルダーは、前記台紙及び前記カバーの左右いずれかの側端縁部を重ね合わせて固着した側端縁固着部を有することを特徴とする実施態様８に記載の記録装置。
実施態様１０：前記記録手段は記録手段から被記録材にインクを吐出して記録を行うインクジェット記録手段でもあることを特徴とする実施態様８又は９に記載の記録装置。
実施態様１１：記録手段のインク吐出性能を維持回復するために読み取り中に行なわれるインクの予備吐出は、前記スキャニングホルダーの側端縁固着部が設けられた側のみで行われることを特徴とする実施態様１０に記載の記録装置。
【００３２】
【発明の効果】
以上の説明から明らかなごとく、本発明によれば、原稿が載置される台紙と該台紙との間で原稿を挟み込む透明なカバーとを有し、前記原稿を読み取るために読み取り手段を通して搬送されるスキャニングホルダーにおいて、前記台紙の搬送方向下流側端縁の近傍と前記カバーの搬送方向下流側端縁の近傍とを重ね合わせて固着した先端固着部と、搬送方向下流側の先端が前記読み取り手段の搬送ローラ部に挟まった位置で前記原稿の読み取りが開始できるように該原稿の位置を規制するために前記先端固着部より搬送方向上流側で前記台紙と前記カバーとを重ね合わせて固着した原稿位置規制用固着部と、を有する構成としたので、
原稿が反っている場合でも搬送ローラ部のニップ部に対して円滑に進入させることができ、読み取りヘッドもしくは記録ヘッド等との擦れや衝突を効果的に無くすことができるスキャニングホルダーが提供される。
【図面の簡単な説明】
【図１】本発明を適用したスキャニングホルダーの第１実施例を示す模式的斜視図である。
【図２】図１のスキャニングホルダーを図１中の矢印Ｘから見て搬送ローラとともに示す部分縦断面図である。
【図３】図１のスキャニングホルダーに挟み込まれた原稿を読み取る読み取り手段を備えた記録装置を示す模式的斜視図である。
【図４】図３に示す読み取り手段を具備した記録装置の読み取り部と各搬送ローラとの位置関係を示す模式的縦断面図である。
【図５】スキャニングホルダーに挟まれた原稿の先端部が反っているときの状態を搬送方向に断面して模式的に示す縦断面図である。
【図６】スキャニングホルダーに挟まれた原稿の側端部が反っているときの状態を搬送方向と直角の方向に断面して模式的に示す横断面図である。
【図７】スキャニングホルダーに挿入された側端部が反った原稿をインクジェット記録装置内の読み取り手段で読み取っているときの状態を示す断面して示す模式的断面正面図である。
【図８】本発明を適用したスキャニングホルダーの第２の実施例を図１中の矢印Ｘ方向から見た部分縦断面図である。
【図９】本発明を適用したスキャニングホルダーの第３実施例を示す模式的平面図である。
【符号の説明】
１        スキャニングホルダー
１ａ      スキャニングホルダーの先端縁
２        台紙
２ａ      台紙の先端縁
２ｂ      台紙の側端縁
３        カバー
３ａ      カバーの先端縁
３ｂ      カバーの側端縁
４ａ      先端固着部
４ｂ      側端縁固着部
４ｃ      原稿位置規制用固着部
５        読み取り手段を搭載した記録装置
１０      記録手段（プリントヘッド）
１１      読み取り手段（スキャナーユニット）
Ｄ      原稿
Ｋ      原稿の搬送方向
【図１】
2004153755.tif 000003
【図２】
2004153755.tif 000004
【図３】
2004153755.tif 000005
【図４】
2004153755.tif 000006
【図５】
2004153755.tif 000007
【図６】
2004153755.tif 000008
【図７】
2004153755.tif 000009
【図８】
2004153755.tif 000010
【図９】
2004153755.tif 000011